(57)【要約】【課題】単純かつ信頼性の高い方式で押出口から材料を押出すことができる材料抽出用のカートリッジを提供する。【解決手段】特に歯科用材料等の材料を収容および塗布するためのカートリッジが、シリンダ状の第１の部分と曲折した第２の部分と押出口とからなる管形状の基礎部材を備える。荷重支持要素がカートリッジ内の材料を押出口から抽出する押出動作を実行するために付勢することができる押出装置と連動する。カートリッジはさらに、基礎部材内において軸方向に移動可能に配置され押出装置の動作に際して移動するように作動するピストンを備え、このピストンが基礎部材のシリンダ状の第１の部分と曲折した第２の部分内を移動する際に材料を基礎部材から押出口およびさらにその外に押出す。押出口の内径は基礎部材の内径よりも小さいものとなるとともに、ピストンが少なくとも部分的に曲折可能である。【選択図】図１
2006255424.tif 000002
【特許請求の範囲】
【請求項１】
特に歯科用材料等の材料を収容および塗布するためのカートリッジであり：
シリンダ状の第１の部分と曲折した第２の部分と一方の端部と逆側の端部とからなり所定の内径を有している、管形状の基礎部材を備え；
基礎部材の一端に接続している押出口を備え、基礎部材の逆側の端部はそれ自体押出装置と連動する荷重支持要素によってインタロック式に固定され、この押出装置はカートリッジ内の材料を押出口から抽出する押出動作を実行するために付勢することができ、この押出口が所定の内径を備えており；
基礎部材内において軸方向に移動可能に配置され押出装置の動作に際して移動するように作動するピストンを備え、このピストンが基礎部材のシリンダ状の第１の部分と曲折した第２の部分内を移動する際に材料を基礎部材から押出口およびさらにその外に押出し、押出口の内径は基礎部材の内径よりも小さいものとなるとともに、ピストンが少なくとも部分的に曲折可能であるカートリッジ。
【請求項２】
基礎部材の一部、特に第１の部分の自由端領域が荷重支持要素を備えてなる請求項１記載のカートリッジ。
【請求項３】
荷重支持要素は放射方向に突出したフランジ、特に基礎部材の一部分の外径を超越して放射方向に延在するフランジか、基礎部材の一部分の外側面上に配置された外側ネジ構造、あるいは切り下げ機構の選択された１つからなる少なくとも１つのインタロック式接続要素の形式である請求項２記載のカートリッジ。
【請求項４】
基礎部材の曲折した第２の部分が基礎部材のシリンダ状の第１の部分と押出口との間に配置されてなる請求項１記載のカートリッジ。
【請求項５】
基礎部材の第１の部分が基礎部材の第２の部分と接続する領域を含むとともに透明な領域として形成されてなる請求項１記載のカートリッジ。
【請求項６】
透明な部分は透明な材料からなる請求項５記載のカートリッジ。
【請求項７】
透明な材料は色付材料あるいは透明な色付被覆の選択された一方からなる請求項６記載のカートリッジ。
【請求項８】
透明な材料は色付材料あるいは透明な色付被覆のうちの選択された一方が３５０ないし５００ｎｍの波長を有する光の透過を防止する請求項７記載のカートリッジ。
【請求項９】
色付材料あるいは色付被覆が３５０ないし５００ｎｍの波長を有する光を透過させる請求項７記載のカートリッジ。
【請求項１０】
押出口が曲折部材として形成される請求項１記載のカートリッジ。
【請求項１１】
押出口が基礎部材の第２の部分と等しい曲折形状を有する請求項１０記載のカートリッジ。
【請求項１２】
押出口がその全長に渡って一定の内径を有する内部管路を備える請求項１記載のカートリッジ。
【請求項１３】
押出口の内部管路の最大の内部幅が押出口の自由端の方向に向かって拡大する請求項１記載のカートリッジ。
【請求項１４】
カートリッジの押出が行われていない状態においてピストンの基本位置が基礎部材の第１の部分内にある請求項１記載のカートリッジ。
【請求項１５】
少なくとも押出口に向かっているピストンの端部が曲折可能な部分として形成される請求項１記載のカートリッジ。
【請求項１６】
ピストンは色付材料から形成されたピストンか、色付被覆によって覆われたピストンか、あるいは視覚的に確認可能な標記を備えたピストンのうちの選択されたいずれか１つからなる請求項１記載のカートリッジ。
【請求項１７】
基礎部材の第１の部分は少なくとも１つの側方開口部を備えておりその幅は基礎部材の第１の部材の縦軸方向に対して垂直に見て基礎部材の内径より小さくなる請求項１記載のカートリッジ。
【請求項１８】
押出口の排出開口部が被覆キャップによって遮蔽可能である請求項１記載のカートリッジ。
【請求項１９】
被覆キャップはピストンおよび基礎部材の第１の部分の少なくとも一方と同じ色で形成される請求項１８記載のカートリッジ。
【請求項２０】
基礎部材の第１の部分およびピストンが互いに連動して充満状態を表示する標記を備える請求項１記載のカートリッジ。
【請求項２１】
基礎部材、押出口、および被覆キャップの少なくとも１つがプラスチック製である請求項１記載のカートリッジ。
【発明の詳細な説明】
【技術分野】
【０００１】
この発明は、特に歯科用材料等の材料を塗付するためのカートリッジに係り、このカートリッジは使い捨て部品として押出し装置内において使用される。
【背景技術】
【０００２】
材料を塗付するためのカートリッジは広範に使用されており、多数の形態で開発されている。
【０００３】
この種のカートリッジにおいてしばしば生じる問題にはカートリッジに収容されている材料が完全にそこから抽出され得ないことが含まれ、これは特にカートリッジの押出口がこのカートリッジ基礎部材に対して傾斜して下方に延在している場合に発生する。
【０００４】
米国特許第５，９３８，４３９号明細書（特許文献１）により、材料を完全に抽出する可能性を保証する特殊なピストンが開示されており、これにおいてピストンの前方部が弾力的に変形可能であり従ってカートリッジから材料を完全に抽出する位置に存在し得るように形成される。
【０００５】
異なった量の歯科用材料に対して同一の押出し装置を使用することが好適である。この点に関して、カートリッジ基礎部材の長さを材料押出し要件に適応させることが提案されている。比較的少量の歯科用材料の押出しに対して比較的短い基礎部材を有するカートリッジを提供することができ、一方比較的多量の歯科用材料の押出しに対しては充分に長い基礎部材を有するカートリッジを使用することができる。これらのカートリッジに対して、ピストンは実質的に常に一定の直径を有しており、カートリッジは荷重支持機構を形成する保持カラーによって押出し装置内に保持される。
【０００６】
カートリッジが長い基礎部材を有する場合、ピストンは比較的長い経路に沿って基礎部材内を移動する必要がある。この種の長い基礎部材に関して、前方部が弾力的に形成されている場合、この長い基礎部材は極めて縮小された射出口の直径を許容するが；この長いカートリッジの前方領域が既に側方から締付けられて縮小しており、従ってこのカートリッジからの抽出ができないかあるいは完全にはできない危険性がある。
【０００７】
できる限り深くアクセスし難い場所に歯科用材料を塗付するためには、押出し口が充分に縮小された直径を有することが好適である。この際、押出し口の内径は、例えば基礎部材の内径の５分の１までとすることができる。
【０００８】
さらに、曲がった基礎部材からなるカートリッジ内に比較的短いピストンを使用することが提案されている。この種のカートリッジは、必要とされている押出口の下方への延在を可能にする。
【０００９】
しかしながら、この際ピストンあるいはカートリッジの基礎部材が押出口に向かって直径が先細となっている領域に到達する前に傾いてしまう傾向がある点が問題である。その傾斜の結果、一方でピストンと基礎部材との間の気密性が失われ、他方でこの傾斜に際してピストンが引っ掛かって動かなくなる傾向があり、それによってカートリッジは使用不可能となる。
【００１０】
原則的にピストンを延長することも可能である。しかしながら、その場合ピストンは曲がったカートリッジ基礎部材内で適正に延在するものではなくなってしまう。
【００１１】
他方、ピストン自体を湾曲して形成した場合、追加的な処置を施さない限りピストンが逆曲がりしてしまう危険性があり、それによってさらに引っ掛かりの危険性が増大する。そのため、この種の解決方式が普及していないのは意外なことではない。
【００１２】
【特許文献１】米国特許第５，９３８，４３９号明細書
【発明の開示】
【発明が解決しようとする課題】
【００１３】
本発明は、カートリッジを種々のサイズで形成してまた人間工学的に好適であるように押出口を低くすることを困難にすることなく単純かつ信頼性の高い方式でそこから材料を押出すことができる材料抽出用のカートリッジを提供するものである。
【課題を解決するための手段】
【００１４】
本発明によれば、以下の特徴を組み合わせることが特に好適であり：基礎部材がシリンダ状部分とこのシリンダ状部分に接続している湾曲した部分とを有し、押出口が湾曲部分に接続している。ピストンは少なくとも部分的に、好適にはその前方部が曲折可能であり、それが基礎部材の湾曲部分内に延伸可能であるが、ピストンの直径は不変である。この曲折特性によって、不要な影響を及ぼす誘導を伴うことなく、適宜な湾曲形状をもってピストンを所定の領域に誘導することが可能になる。
【００１５】
ピストンは、特に傾斜を防止することができる長さを有することができる。意外なことに、シリンダ状部分と曲折部分とを組み合わせて基礎部材を構成することによって実質的に摩擦無しで基礎部材内にピストンを誘導することが可能になり、この際ピストンの弾力性あるいは曲折可能な部分が基礎部材の曲折部分と同じ長さを有することが好適であり、他方ピストンの曲折不可能な部分はいずれにしてもピストンの引っ掛かりが確実に防止される長さを有する。例えば、ピストンの長さは基礎部材のシリンダ状部分の内径の２ないし３倍とすることができる。
【００１６】
本発明によれば、人間工学的に好適なカートリッジ湾曲領域の構成にもかかわらず、障害の無いピストンの誘導が可能になる。
【００１７】
本発明によれば、カートリッジの一部分に極めて大きな曲折を与えて構成することが可能となる。例えば、曲折部分は３０°超、好適には約４５°、あるいは個別のケースにおいては６０°の曲折角度をもって形成することができる。それに続いてさらに３０°の角度をもって押出口が延在し、合計の角度は例えば７５°、あるいは９０°になることもある。
【００１８】
本発明の解決方式によれば、押出される材料が実質的に完全に下方に抽出され、従ってアクセスすることが困難な空洞部にも良好に充填することができる。
【００１９】
意外なことに、基礎部材にシリンダ状部分を設けるにも係らず、大きく下方に低下した押出方向を実現することが可能となり、従って本発明によって極めて小さな半径を有する曲折した押出口の構成によってそこから抽出される材料が同様に湾曲した形状となる。
【００２０】
別の好適な構成形態において、基礎部材の曲折部分の内径が基礎部材の直線部分の内径に相当し、同様にこれら２つの部分の外径も少なくともその移行領域において互いに等しいものとなる。
【００２１】
別の好適な構成形態において、押出口の長さが基礎部材の曲折部分の長さに比べて幾らか、例えば３０％縮小され、押出口の内径が基礎部材の曲折部分の内径に比べて小さくなり、例えば基礎部材の曲折部分の内径の約半分となる。
【００２２】
好適な構成形態において、基礎部材は実質的にシリンダ状の部分と押出口に接続する曲折部分とからなり、ピストンが少なくとも曲折可能となる。
【００２３】
さらに別の好適な構成形態において、基礎部材は押出装置のピストンを受容するように構成され、この押出装置内に基礎部材が収容されるかあるいはそれに対して固定することができ、ピストンはその前方領域が曲折可能であるが、ピストンの駆動中において一定に保持される直径を有するように構成されている。
【００２４】
さらに別の好適な構成形態によれば、押出口が曲折しておりその押出口の曲折が基礎部材の曲折部分と軸方向に等しくなり、特に等しい湾曲半径を有するものとなる。
【００２５】
別の構成形態において、押出口が基礎部材に比べて明確に小さい、特に基礎部材の内径の半分未満の内径を有するとともに同様に明確に小さい外径を有する内部管路を備えており、さらに特に押出口の外径が押出口の先端に向かって錐形状に延在している。
【００２６】
さらに別の好適な構成形態において、カートリッジは使い捨てカートリッジとして形成され材料が充填されている。
【００２７】
さらに別の構成形態において、基礎部材の曲折部分の内径はこの曲折部分の延長にわたって一定となっている。
【００２８】
さらに別の好適な構成形態において、基礎部材の曲折部分は２０°超かつ９０°未満の曲折角度、特に約４５°の曲折角度をもって延在している。
【００２９】
さらに別の好適な構成形態において、基礎部材の曲折部分の曲折角度はこの基礎部材の曲折部分の総延長にわたって実質的に一定である。
【００３０】
さらに、別の好適な構成形態において、基礎部材の曲折部分はこの基礎部材のシリンダ状部分に接続する位置においてこの基礎部材の曲折部分のその他の部分よりも大きなあるいは小さな湾曲半径を有しており、湾曲半径は所定の一定角度に対して２ないし２０°低下するものとなる。
【００３１】
本発明のさらに別の好適な構成形態において、基礎部材の曲折部分の湾曲半径はこの基礎部材の曲折部分の内径の３ないし２０倍、特に５倍の湾曲半径を有するものとなる。
【００３２】
本発明のさらに別の好適な構成形態において、基礎部材の第１の部分の自由端が少なくとも１つのインタロック要素を有する荷重支持（ｌｏａｄ  ｅｎｇａｇｉｎｇ）機構を備えている。この荷重支持機構は基礎部材の一部分の外径を超越して放射方向に延在するフランジ、基礎部材の一部分の外側面上に配置された外側ネジ構造、あるいは切り下げ機構の形式からなる。
【００３３】
本発明の別の好適な変更例によれば、基礎部材の第１のシリンダ状の部分が基礎部材の第２の部分と押出口との間に配置されている。
【００３４】
別の好適な構成形態によれば、基礎部材の第１の部分の少なくとも第２の部分に接続している領域が透明な材料を使用してまたは特に色付透明にするかあるいは透明色被覆を施して透明に形成される。
【００３５】
この構成形態において、色付材料あるいは色付被覆は３５０ないし５００ｎｍの波長を有する光の通過を防止する能力を有することができる。基礎部材のシリンダ状の第１の部分および押出口は光を透過させない材料で形成することができ、それによって光に対して敏感な歯科用材料を安全にその中に貯蔵することができる。
【００３６】
押出口は曲折形状をもって形成することが好適であり、基礎部材の第２の部分と同じ曲折形状を有するものとなる。
【００３７】
好適には押出口の内部管路はその全長にわたって一定の直径を有するか、あるいは押出口の自由端に向かって内部管路の最大開口部が形成される。
【００３８】
別の好適な構成形態においては、カートリッジが付勢されていない状態においてピストンの殆どの部分が基礎部材の第１の部分内に延在している。加えて、ピストンは好適には色付材料で形成されている。しかしながら、ピストンはその上に色付被覆を施すかあるいは視覚的に確認可能な標記を設けることもできる。この構成形態において、基礎部材の第１の部分が少なくとも１つの側方開口部を備えていれば好適であり、これは好適には縦方向スリットであるとともに基礎部材の第１の部分の縦延長に対して垂直に見たその幅が基礎部材の内径よりも小さいものとなり、ここで基礎部材の第１の部分およびピストンが共に動作してカートリッジの充填状態を示す表示を提供することが好適である。縦方向スリットは特に基礎部材の内径の１０ないし３０％、好適には約２０％の幅を有している。
【００３９】
本発明のさらに別の好適な構成形態において、押出口の排出開口部は特にピストンおよび／または基礎部材の第１の部分と同じ色を有する被覆キャップによって遮蔽することができる。この被覆キャップは特に弾力的な材料から形成し、押出口の構造に容易に適合させることができる。
【００４０】
基礎部材および／または押出口および／または被覆キャップはプラスチックによって形成することができる。
【００４１】
さらに別の好適な構成形態において、基礎部材の第２の部分の外郭が押出口の方向に向かって先細となっている。
【００４２】
別の好適な構成形態において、基礎部材に隣接している押出口が基礎部材の曲折部分の内径の約１０ないし６０％、好適には２０ないし４０％、特に約３０％程度の直径からなる内部管路を有する。
【００４３】
さらに別の好適な構成形態によれば、押出口に向かっている基礎部材の第２の部分の排出開口部が基礎部材の第１の部分の縦軸方向に対して垂直の面に対して１５ないし６０°の角度を有する面内に延在する。
【００４４】
別の好適な構成形態において、押出口が直線的に形成される。
【００４５】
さらに別の好適な構成形態において、押出口は弾力性の材料で形成される。
【００４６】
さらに別の好適な構成形態において、基礎部材の内径は基礎部材の第１の部分の自由端に向かって拡大して形成される。
【００４７】
本発明の種々の特徴、詳細、ならびに利点は、添付図面を参照しながら以下に記述する実施例の説明によって明らかにされる。
【実施例】
【００４８】
図１に示されたカートリッジ１０は互いに接続しているとともに連続的に延在している第１および第２の部分を有し、その移行領域においてそれらは等しい内径ならびに等しい外径を有している。
【００４９】
図２に示されているように、カートリッジ１０は内部が空洞となっておりその中にピストン１６を受容しまた歯科用材料２８を収容することができるように構成され、これは押出されていない状態で示されている。
【００５０】
カートリッジの第１の部分１２および第２の部分１４が共にカートリッジの基礎部材１８を構成している。
【００５１】
基礎部材の第２の部分１４の前端に押出口２０が設けられており、押出口２０の外径は基礎部材の第２の部分１４の外径よりも小さくなっており、また押出口の内径は基礎部材の第２の部分１４の内径よりも小さくなっている。
【００５２】
図示されている実施例において、基礎部材の第１の部分１２は実質的に直線状であり、事実上その内部および外部寸法において直線状であり、また基礎部材の第２の部分１４は曲折している。追加的に、押出口２０も曲折しており、事実上基礎部材の第２の部分１４と同様に曲折している。好適には、基礎部材の第２の部分１４ならびに押出口２０は同等に曲折しており、すなわち基礎部材の第２の部分１４の曲折した縦中央軸と押出口２０の曲折した縦中央軸がその移行部分において一致する。それに従って、図２に示されているように、比較的小さな数値を有する湾曲半径を有している。図示された実施例において、湾曲半径は基礎部材の第２の部分１４の内径の５倍となっている。
【００５３】
下方に向かって先細になっている基礎部材の第２の部分１４の外郭２４が基礎部材の第２の部分１４と押出口２０との間の移行領域に設けられている。しかしながら、基礎部材の第２の部分１４の内径はこの部分において一定であり、従って基礎部材１８の壁厚のみがそこで縮小している。
【００５４】
図１に示されているように、基礎部材の第２の部分１４と逆側の基礎部材の第１の部分１２の端部上に荷重支持要素２６が構成されている。そこにおいて誘導錐形部２７が内部に設けられており、従って第１の部分１２の内径がその自由端領域に向かって拡大している。
【００５５】
この荷重支持要素２６は、図１、図２および図３に示された実施例において押出装置の受容領域に取り付け可能である円形フランジから形成されており、これは押出方向にかけられる圧力に対してカートリッジをその位置に保持するよう作用する。
【００５６】
図２には、ピストン１６が基礎部材の第１の部分１２内において初期位置に存在している。このピストン１６は、図示された実施例において全体的にエラストマ等の弾力性の材料によって形成されている。これに代えて、このピストンは、２つまたはそれ以上の異なった材料から形成することもできる。このピストンは基礎部材の第１の部分１２の内部に気密に配置されており、基礎部材の第２の部分１４内に幾らか突出している。
【００５７】
これに対して、押出状態においては基礎部材の第２の部分１４が完全に歯科用材料２８によって充填されている。この歯科用材料は、押出口２０への移行部を形成する基礎部材の第２の部分１４の排出開口部３０の部分に存在している。
【００５８】
図２に示されているように、押出口２０の内部管路３２は基礎部材の第２の部分の内径よりも明確に縮小された内径をもって形成されている。
【００５９】
図示された実施例において、基礎部材の第２の部分１４は黒い非透光性の材料によって形成されており、他方ピストン１６を内部に誘導する基礎部材の第１の部分１２は光透過性の材料によって形成されている。この材料は、透明な材料または色付けされた材料あるいは透過性色付被覆とすることができる。色付材料あるいは色付被覆は３５０ないし５００ｎｍの波長を有する光の透過を防止し得るように選択することができる。ピストン１６は幾らか基礎部材の第２の部分内に突出しており、歯科用材料２８に光が入射することを防止している。
【００６０】
エンドユーザへの納品状態において、押出口の先端に被せられた被覆キャップ（図示されていない）によって押出口を遮蔽することが好適であり、それによって押出口は光から防護されるとともに貯蔵時において空気の侵入が防止される。
【００６１】
カートリッジから材料を押出すために押出装置４０（詳しくは図示しない）が設けられており、この押出装置はその受容領域４２内にカートリッジを確実に誘導して収容する。
【００６２】
対応する押出装置が例えば米国特許第６，５２４，１０３号明細書の図６に示されている。
【００６３】
押出装置４０はピストン１６の方向に摺動することができる押出ピストン４４を備えている。この押出ピストン４４の直径はピストン１６の直径よりも幾らか小さいものとなる。押出装置４０の動作を通じて、ピストン１６が基礎部材の第２の部分１４内に移動する。このピストンは少なくとも部分的に曲折可能であるため、これは部分１４の曲折形状に適合し、同時に押出口２０を介して歯科用材料２８をカートリッジ１０の外に押出す。
【００６４】
部分１４と押出口２０の比較的急な曲折のため、下方に延伸するとともにアクセスが困難な場所に到達させることが可能な歯科材用材料の紐状体２８．１が形成される。
【００６５】
図４、図５および図６には、本発明のカートリッジの別の実施例が示されている。図４に示された実施例において、荷重支持要素２６は外側ネジからなる要素５０として形成され；図５に示された実施例において、荷重支持要素は円形溝部５２として形成され、このためこれは切下げ構造を形成することができ、図６に示された実施例においてカートリッジは支持要素５４を有するバヨネットクロージャまたはルアーロック構造を備えて構成され、これはいずれにしても図３に示された押出装置４０とカートリッジ３０との間にインタロック式の接続を形成することができるものである。
【００６６】
図７、図８および図９にはそれぞれ押出口２０の多様な構成例が示されている。図７に示された構成において、軸方向に均等に曲折した押出口２０が設けられており、その内部管路１３２は一定の内径を有している。
【００６７】
他方、図８に示された構成においては、管路２３２内において一定の内径を有するが図７のものと異なって直線状に延在している押出口２０が示されている。
【００６８】
この解決方式は、基礎部材の曲折部分１４が強く湾曲していてそれ以上の歯科用材料の曲折は必要でない場合に適している。
【００６９】
図９に示された構成においては、前述した構成と異なって、押出口２０の内部管路３３２が末端の流出領域５７において内部が拡大している。歯科用材料紐状体の誘導が、この拡大した内部管路によってより大きな許容幅をもって実施可能となる。加えて、歯科医師がカートリッジの押出操作および充填すべき空洞部内への歯科用材料の誘導に際して押出装置４０を動かした際に、歯科用材料の紐状体は押出口２０の押出部において遊びをもって誘導されているため、簡単に破断することがない。
【００７０】
図１０に示されているように、カートリッジに対して充満状態を示す表示５６を設けることができる。このため、基礎部材の第１の部分１２の総延長にわたって延在する縦方向スリット５８の形式の側方開口部を設けることができる。この開口部の幅Ｂは基礎部材の内径よりも小さいものとなる。この縦方向側方開口部またはスリット５８によって、ピストン１６の背面あるいは後部、またはピストン１６上の適宜な標記を目視することが可能になる。このピストンは色付材料によって形成されるか、色付被覆を有しているか、あるいは適宜な目視用標記を備えている。加えて、直線的に延在する基礎部材の部分１２上の縦方向スリット５８に近接して計測スケールを設けることができ、それによってピストン１６上の標記を通じてこのピストン１６の移動した距離を確認することができる。
【００７１】
さらに、図１０には、本発明に従って押出口２０の前方部を適宜に被覆キャップ６６によって遮蔽するかあるいは遮蔽しないことが可能であることが示されている。この被覆キャップ６６は極めて柔軟であり従って良好な密封効果を有する材料からなり、これは不透明なものとし、またその色をピストン１６および／または基礎部材の第１の部分１２の色に適合させることが好適である。基礎部材、押出口および／または被覆キャップの少なくとも１つをプラスチック製とすることが好適である。
【００７２】
以上、本発明の好適な実施例につき説明したが、本発明は上記の実施例および図面の表記に限定されることはなく、本発明の精神は添付の請求の範囲によってのみ定義されることが理解されよう。この点に関して、請求の範囲において使用されている“手段”という定義は添付図面に示された設計ならびに対応する実施例の説明に記された設計に限定されるものではなく、当業者において既知である同等な方式あるいは当業者において容易に類推可能な方式を含むものである。
【図面の簡単な説明】
【００７３】
【図１】本発明の一実施例を示した概略側面図である。
【図２】図１に示された本発明のカートリッジの一実施例を示した概略側断面図である。
【図３】図１および図２に示された本発明のカートリッジの一実施例を示した部分断面図であり、追加的にカートリッジの押出装置への動作接続が示されている。
【図４】本発明のカートリッジの別の実施例を示した側面図である。
【図５】本発明の追加構成例を示した側面図である。
【図６】本発明のカートリッジのさらに別の実施例を示した側面図である。
【図７】本発明のカートリッジのさらに別の実施例を示した拡大側断面図である。
【図８】本発明のカートリッジのさらに別の追加構成例を示した側面図である。
【図９】図１、図２および図３に示された本発明のカートリッジの一実施例を示した部分拡大側断面図である。
【図１０】本発明のカートリッジのさらに別の追加構成例を示した側面図である。
【符号の説明】
【００７４】
１０  カートリッジ
１２  第１の部分
１４  第２の部分
１６  ピストン
１８  基礎部材
２０  押出口
２６，５４  荷重支持要素
２８  歯科用材料
３０  開口部
３２，１３２，２３２，３３２  内部管路
４０  押出装置
４２  受容領域
４４  駆動ピストン
５２  円形溝部
５８  スリット
６０  測定スケール
６６  被覆キャップ
【図１】
2006255424.tif 000003
【図２】
2006255424.tif 000004
【図３】
2006255424.tif 000005
【図４】
2006255424.tif 000006
【図５】
2006255424.tif 000007
【図６】
2006255424.tif 000008
【図７】
2006255424.tif 000009
【図８】
2006255424.tif 000010
【図９】
2006255424.tif 000011
【図１０】
2006255424.tif 000012